(57)【要約】【課題】発熱効率が極めて高い発光ダイオード照明器具を提供すること。【解決手段】台座１１と、電源供給装置１２と、を備え、電源供給装置１２が台座１１に設けられるランプソケット１０と、台座１１に設けられ、電源供給装置１２と電気的に連接する発光ダイオード装置と、発光ダイオード装置に設けられ、電源供給装置１２と電気的に連接する発熱具３０と、を含み、発光ダイオード装置２１は、少なくとも一つの発光ダイオード発光源２１を含み、発熱具３０は発光ダイオード発光源２１の天端に設けられ、発熱具３０は天部３１を含み、天部３１に収容溝３３が設けられる。【選択図】図１
0003193588.tif 000002
【実用新案登録請求の範囲】
【請求項１】
台座と、電源供給装置と、を備え、前記電源供給装置が前記台座に設けられるランプソケットと、
前記台座に設けられ、前記電源供給装置と電気的に連接する発光ダイオード装置と、
前記発光ダイオード装置に設けられ、前記電源供給装置と電気的に連接する発熱具と、
を含み、
前記発光ダイオード装置は、少なくとも一つの発光ダイオード発光源を含み、前記発熱具は前記発光ダイオード発光源の天端に設けられ、
前記発熱具は、天部を含み、前記天部には精油を収容する収容溝が設けられることを特徴とする、
発光ダイオード照明器具。
【請求項２】
前記発光ダイオード照明器具は、更に笠を含み、
前記笠は、前記台座に脱着可能に設けられ、前記発光ダイオード発光源を覆い、前記笠に少なくとも一つの通気穴が設けられることを特徴とする、請求項１に記載の発光ダイオード照明器具。
【考案の詳細な説明】
【技術分野】
【０００１】
本考案は、照明器具に関し、特に、発光ダイオードを発光源とする発光ダイオード照明器具に関するものである。
【背景技術】
【０００２】
従来のアロマライトは、電球、ハロゲンランプや蛍光灯などのタングステンワイヤを発光体とするものである。しかし、タングステンワイヤを発光体とするものは、電力の消費が多く、高熱が発生し、割れやすく、寿命が短く、タングステンワイヤが熔けて断裂するなどの問題があった。そして、蛍光灯は、水銀などを含むため、環境を汚染し、人体の健康に悪影響を与える虞がある。上記の問題を解決するために、発光ダイオード（Light Emitting Diode）を使用するアロマライトが開発されて市販している。アロマライトが発光ダイオードを光源として利用する原因は、発光ダイオードは、発光の効率が高く、寿命が長く、損壊しにくく、電力の消費が少なく、地球環境に優しく、体積が小さいなどの長所を有することにある。このように、発光ダイオードは、潜在力を有する新光源として国民に広汎に利用されている。
【０００３】
アロマライトに使用される精油は、一定の温度に達しないと、大気に効率良く揮発できない。しかし、発光ダイオードの発熱量が低すぎるため、精油の揮発効率が極めて低く、これにより、発光ダイオードを使用するアロマライトは、精油を揮発できないため、空気を清浄化できず、ユーザの細菌の感染を回避できず、ユーザの気分を安定化できない。
【０００４】
また、従来のアロマライトは、伝熱子を増設することにより、精油を収容する容器に発光ダイオードからの弱い熱を伝導することが必要であるが、伝熱の過程中に熱が大気に分散するため、精油の揮発効率が極めて低い。
【先行技術文献】
【特許文献】
【０００５】
【特許文献１】実用新案登録第３１４６２１１号公報
【考案の概要】
【考案が解決しようとする課題】
【０００６】
そこで、本考案の主な目的は、発熱効率が極めて高い発光ダイオード照明器具を提供することにある。
【課題を解決するための手段】
【０００７】
本考案の発光ダイオード照明器具によると、台座と、電源供給装置と、を備え、電源供給装置が台座に設けられるランプソケットと、台座に設けられ、電源供給装置と電気的に連接する発光ダイオード装置と、発光ダイオード装置に設けられ、電源供給装置と電気的に連接する発熱具と、を含み、発光ダイオード装置は、少なくとも一つの発光ダイオード発光源を含み、発熱具は発光ダイオード発光源の天端に設けられ、発熱具は天部を含み、天部には精油を収容する収容溝が設けられることを特徴とする。
【０００８】
本考案の発光ダイオード照明器具によると、更に、笠を含み、笠は、台座に脱着可能に設けられ、発光ダイオード発光源を覆い、笠に少なくとも一つの通気穴が設けられることを特徴とする。
【考案の効果】
【０００９】
本考案に係る発光ダイオード照明器具によれば、発熱効率が極めて高いという効果を有する。
【図面の簡単な説明】
【００１０】
【図１】本考案の実施例１を示す側面図である。
【図２】本考案の実施例２を示す斜視図である。
【図３】本考案の実施例２の嵌合部を押付部に対向してある角度に旋回する状態を示す模式図である。
【図４】本考案の実施例３を示す側面図である。
【図５】本考案の実施例４を示す側面図である。
【図６】参考例１を示す側面図である。
【図７】参考例２を示す側面図である。
【図８】参考例３を示す側面図である。
【図９】参考例３を示す斜視図である。
【図１０】参考例４を示す斜視図である。
【考案を実施するための形態】
【００１１】
以下、本考案の実施の形態を図面に基づいて詳述する。
【実施例１】
【００１２】
図１を参照する。図１は本考案の実施例１を示す側面図である。本実施例の発光ダイオード照明器具はランプソケット１０と、発光ダイオード装置と、発熱具３０とを含む。
【００１３】
ランプソケット１０は、台座１１と、電源供給装置１２と、を含み、電源供給装置１２が台座１１に設けられる。本実施例では、電源供給装置１２がケーブルであり、前記ケーブルが外部の電源と電気的に連接する。
【００１４】
前記発光ダイオード装置は、台座１１に設けられ、電源供給装置１２と電気的に連接する。本実施例では、前記発光ダイオード装置が少なくとも一つの発光ダイオード発光源２１を含む。
【００１５】
発熱具３０は、前記発光ダイオード装置に設けられ、電源供給装置１２と電気的に連接する。粘着樹脂により、発熱具３０は前記発光ダイオード装置に固定される。本実施例では、発熱具３０が発光ダイオード発光源２１の天端に設けられる。発熱具３０は、天部３１と、底部３２と、を含み、天部３１に収容溝３３が設けられ、粘着樹脂により底部３２が発光ダイオード発光源２１の天端に固定され、収容溝３３が液体、又は前記液体を吸収する液体吸収体（図示せず）を収容することが好ましい。具体的には、発熱具３０がセメント電気抵抗であり、前記液体が精油である。
【実施例２】
【００１６】
図２及び図３を参照する。図２は本考案の実施例２を示す斜視図であり、図３は本考案の実施例２の嵌合部を押付部に対向してある角度に旋回する状態を示す模式図である。本実施例が実施例１と異なる点は、電源供給装置１２がプラグであり、前記プラグは、押付部１２１と、嵌合部１２２と、を含み、押付部１２１が台座１１に設けられ、押付部１２１は、二つの挿入穴と、導電片と、当接片（図示せず）と、を含み、前記導電片と前記当接片とはそれぞれ一つの前記挿入穴に挿入され、嵌合部１２２は押付部１２１に回動可能に設けられ、嵌合部１２２は、第１端子１２３と、第２端子１２４と、を含み、嵌合部１２２に二つの端子穿孔（図示せず）が設けられ、第１端子１２３と第２端子１２４とはそれぞれ一つの前記端子穿孔に挿入され、第１端子１２３の一端が前記導電片に当接し、第２端子１２４の一端が前記当接片に当接することにある。このように、図３に示すように、コンセントに本実施例の発光ダイオード照明器具を挿入するときには、ユーザが状況を見て台座１１の角度を調整できる。
【実施例３】
【００１７】
図４を参照する。図４は本考案の実施例３を示す側面図である。本実施例が実施例２と異なる点は、本実施例の発光ダイオード照明器具は、更に、笠２２を含み、笠２２は、台座１１に脱着可能に設けられ、発光ダイオード発光源２１を覆い、笠２２に少なくとも一つの通気穴２２１が設けられることにある。このように、発光ダイオード発光源２１からの光線は、通気穴２２１を経由して外部に投射して、柔らかいムードを創造でき、そして揮発される精油は、通気穴２２１を経由して、笠２２から大気に分散できる。
【実施例４】
【００１８】
図５を参照する。図５は本考案の実施例４を示す側面図である。本実施例が実施例２と異なる点は、本実施例の発光ダイオード照明器具は、更に、笠２２を含み、笠２２は、台座１１に脱着可能に設けられ、発光ダイオード発光源２１を覆い、笠２２に液体貯蔵槽２３が設けられ、液体貯蔵槽２３は笠２２の外面の天端に位置し、液体貯蔵槽２３が液体、又は前記液体を吸収する液体吸収体（図示せず）を収容することにある。本実施例では、液体貯蔵槽２３が設けられているため、発熱具３０は前記収容溝を有してなくてもよい。また、笠２２は熱伝導できる材質（例えばセラミック）を採用し、前記容器は熱伝導できる材質（例えばセラミック）を採用する。笠２２の天端に複数の通気穴を設けてもよい。このように、発熱具３０からの熱は、笠２２から大気に分散せず、笠２２を経由して前記容器に伝導されて精油の揮発効率を増加できる。
【００１９】
［参考例１］
図６を参照する。図６は参考例１を示す側面図である。本例が実施例４と異なる点は、本例の笠２２には、第１収容室２２２と、第２収容室２２３と、が形成され、笠２２は、載せ台２２４と、容器２２５と、を含み、載せ台２２４は第１収容室２２２と第２収容室２２３の間に設けられ、容器２２５は、載せ台２２４に設けられ、第２収容室２２３に位置し、発光ダイオード発光源２１は記第１収容室２２２に位置し、笠２２に少なくとも一つの通気穴２２１が設けられ、容器２２５が液体、又は前記液体を吸収する液体吸収体（図示せず）を収容することにある。前記液体は精油でもよい。載せ台２２４は熱伝導できる材質（例えばセラミック）を採用する。笠２２は、その材質が何れかの材料を採用してもよく、又は載せ台２２４に複数の通気穴を設けてもよい。このように、発熱具３０からの熱は、載せ台２２４を経由して容器２２５に伝導されて精油の揮発効率を増加できる。
【００２０】
［参考例２］
図７を参照する。図７は参考例２を示す側面図である。本例が実施例２と異なる点は、更に、ベース４０を含み、ベース４０には、液体貯蔵槽４１と、受け空間４２と、が形成され、液体貯蔵槽４１は受け空間４２の上方に位置し、ベース４０は受け空間４２に設けられ、受け空間４２に少なくとも一つの光漏れ口が設けられ、液体貯蔵槽４１が液体、又は前記液体を吸収する液体吸収体（図示せず）を収容することにある。前記液体は精油でもよい。本実施例では、液体貯蔵槽４１が設けられているため、発熱具３０が収容溝３３を有しなくてもよい。ベース４０は熱伝導できる材質（例えばセラミック）を採用する。このように、当該発光ダイオード装置からの光線は前記光漏れ口から外部に射出され、発熱具３０からの熱は、液体貯蔵槽４１に収容される精油に伝導されて精油の揮発効率を増加できる。
【００２１】
［参考例３］
図８及び図９を参照する。図８は参考例３を示す側面図であり、図９は本例３を示す斜視図である。本例が実施例２と異なる点は、本例の発光ダイオード装置は、発光ダイオードランプを含み、前記発光ダイオードランプは、発光ダイオード発光源２１と、電気的連接部２４と、ハウジング２５と、を含み、発光ダイオード発光源２１は電気的連接部２４と電気的に連接し、ハウジング２５は、電気的連接部２４に設けられ、発光ダイオード発光源２１を覆い、図９に示すように、電気的連接部２４は台座１１に螺着され、発熱具３０はハウジング２５の外面の天端に設けられることにある。粘着樹脂により、発熱具３０の底部はハウジング２５の外面の天端に固定され、発熱具３０は二つの端子３４を含み、二つの端子３４がハウジング２５を挿通して電気的連接部２４と電気的に連接することが好ましい。このように、二つの端子３４の大気に露呈することによる酸化や腐食を防止でき、そして本実施例の発光ダイオード照明器具の全体の見栄えを綺麗にすることができる。
【００２２】
［参考例４］
図１０を参照する。図１０は参考例４を示す斜視図である。本例が参考例３と異なる点は、本例の発光ダイオード照明器具は、更に、笠５０を含み、笠５０は、台座１１に脱着可能に設けられ、当該発光ダイオード装置を覆い、笠５０は収容溝５１を含み、収容溝５１は笠５０の外面の天端に設けられることにある。
【００２３】
このように本考案の発光ダイオード照明器具は、発光と同時に、高効率に発熱でき、発熱具からの熱が収容溝に収容される精油に大量に吸収されて精油を高効率に揮発できる。
【産業上の利用可能性】
【００２４】
本考案は、照明器具に適用することができる。
【符号の説明】
【００２５】
１０：ランプソケット
１１：台座
１２：電源供給装置
２１：発光ダイオード発光源
２２：笠
２３：液体貯蔵槽
２４：電気的連接部
２５：ハウジング
３０：発熱具
３１：天部
３２：底部
３３：収容溝
３４：端子
４０：ベース
４１：液体貯蔵槽
４２：受け空間
５０：笠
５１：収容溝
１２１：押付部
１２２：嵌合部
１２３：第１端子
１２４：第２端子
２２１：通気穴
２２２：第１収容室
２２３：第２収容室
２２４：載せ台
２２５：容器
【図１】
0003193588.tif 000003
【図２】
0003193588.tif 000004
【図３】
0003193588.tif 000005
【図４】
0003193588.tif 000006
【図５】
0003193588.tif 000007
【図６】
0003193588.tif 000008
【図７】
0003193588.tif 000009
【図８】
0003193588.tif 000010
【図９】
0003193588.tif 000011
【図１０】
0003193588.tif 000012